(57)【特許請求の範囲】
【請求項１】
被写体を撮影するための複数の動作モードを有するカメラにおいて、
設定および動作状態を表示する表示手段と、
前記表示手段を照明するための表示照明手段と、
前記複数の動作モードにおいて低輝度での操作を前提とする低輝度撮影モードが選択された時点から、前記表示照明手段を所定時間点灯させる第１の点灯制御手段と、
前記低輝度撮影モードが選択されている状態で、レリーズ操作に応じて消灯状態であった前記表示照明手段を点灯させ、シャッタ閉じ動作後に該表示照明手段を消灯させる第２の点灯制御手段とを具備することを特徴とするカメラ。
【請求項２】
前記低輝度撮影モードは、夜景モード、バルブモード、タイムモードおよびスローシンクロモードからなる群より選ばれる少なくとも１つであることを特徴とする請求項１に記載のカメラ。
【請求項３】
前記レリーズ操作は、レリーズボタンの押し動作によって１段目のＲＬ１信号に引き続き２段目のＲＬ２信号を発生する操作であって、
前記第２の点灯制御手段は、前記２段目のＲＬ２信号に応じて消灯状態であった前記表示照明手段を点灯させて、シャッタ閉じ動作後に該表示照明手段を消灯させることを特徴とする請求項１に記載のカメラ。
【請求項４】
レリーズ操作から次のレリーズ操作までの間にわたってシャッタを開き続けるタイムモードが選択されたときは、前記第２の制御手段は前記第２段目のＲＬ２信号に応じて消灯状態であった前記表示照明手段を点灯させてシャッタ開き動作が開始され、前記１段目のＲＬ１信号または前記２段目のＲＬ２に応じてシャッタ閉じ動作の終了後に該表示照明手段を消灯させることを特徴とする請求項３に記載のカメラ。
【請求項５】
被写体を撮影するための複数の動作モードを有するカメラにおいて、
設定および動作状態を表示する表示手段と、
前記表示手段を照明するための表示照明手段と、
前記複数の動作モードにおいて低輝度での操作を前提とする低輝度撮影モードが選択されると、消灯状態であった前記表示照明手段を点灯させ、レリーズ操作に応じてシャッタ開き動作を実施して、シャッタ閉じ動作後に該表示照明手段を消灯させる制御手段と
を具備することを特徴とするカメラ。
【発明の詳細な説明】
【０００１】
【発明の属する技術分野】
本発明は、カメラの設定および動作状態等の表示機能の改良に係り、特に表示部を照明する表示照明機能を備えるカメラに関する。
【０００２】
【従来の技術】
例えば銀塩フィルムを用いる在来のカメラにおいては、自動撮影、ストロボ撮影、セルフタイマー撮影、および長時間露出撮影等の撮影機能がある。多くのカメラでは、それぞれに対応する撮影モードを選択設定することにより、これらの撮影機能を用いた撮影を行うことができる。
長時間露出撮影は、低光量下での撮影等の低輝度の被写体を撮影するため長い露光時間により光量不足を補う撮影モードである。長時間露出撮影には、夜景撮影に適する夜景モード、ストロボ発光と連携させるスローシンクロモード等の自動露出による長時間露出の他に、手動操作による長時間露出撮影機能としてカメラに設けられているタイム露出機能およびバルブ機能等を用いたタイムモードおよびバルブモード等の撮影モードがある。
【０００３】
タイム露出機能は、レリーズ操作から次のレリーズ操作までの間にわたってシャッタを開き続ける機能であり、バルブ機能は、レリーズボタンを押している間だけシャッタを開き続ける機能である。
ところで、近年、カメラにおける制御系の電子化が進み、ほとんどのカメラは電池電源により動作するようになっている。このため、上述した各種撮影モードその他の設定状態および動作状態等を、液晶表示装置等の低消費電力の表示装置により、表示するものが多い。例えば、液晶表示装置は、光の反射または屈折を利用した表示であり、発光素子等による表示と異なり、暗所では視認が困難になるため、ＥＬ（エレクトロルミネセンス）素子、または蛍光灯等の発光素子による照明を併用することが多い。
【０００４】
液晶表示装置自体は、低消費電力であるが、液晶表示装置を照明する照明装置は、ある程度の電力を消費するため、電池電源の長寿命化を考慮すると、照明が必要でないときには、照明装置はなるべく使用しないようにすることが望ましい。
例えば、実開平５−８１８３２号公報は、シャッタスピード、絞り値等の撮影情報を表示しないモードを有するカメラに関するものである。この実開平５−８１８３２号公報には、前記撮影情報を表示しないモードにおいては、表示用の液晶に対する照明が不要であるので、該照明を消灯することが開示されている。
また、実開平６−１５０５１号公報は、ファインダ視野内に撮影情報を表示する液晶表示装置を有するカメラに関するものである。この実開平６−１５０５１号公報には、前記ファインダ視野内に撮影情報を表示する液晶表示装置を照明する照明装置の照明光量を、測光結果による被写体の明るさに基づいて追随制御することが開示されている。
【０００５】
【発明が解決しようとする課題】
しかしながら、上述した実開平５−８１８３２号公報では、表示装置の表示が行われず、明らかに照明が不要である場合に、該照明を消灯することが示されているに過ぎない。また、実開平６−１５０５１号公報には、液晶表示装置が見にくくなるのを防止するために、ファインダ視野内の明るさに応じて照明光量を制御しているだけである。
したがって、上述した実開平５−８１８３２号公報の場合には、表示装置の表示が行われている限り無条件で照明が行われており、実開平６−１５０５１号公報の場合にも、被写体が非常に明るい場合にのみ照明が消灯されるにすぎず、被写体の明るさがある程度以下の場合には、照明が消灯されることはない。すなわち、これらいずれの場合も、照明装置による電池電源の消費を積極的に低減しようとしているわけではない。
本発明は、上述した事情に鑑みてなされたもので、その目的は、低輝度での使用が前提となる撮影モードでの操作や動作中に、表示が見にくくなることを、効果的に防止し得るカメラを提供することにある。
本発明の他の目的は、特に、低輝度での使用が前提となる撮影モードが選択された場合には、表示が見にくくなることを、確実に防止し得ると共に、電池電源の無駄な消費を抑制し得るカメラを提供することにある。
【０００６】
【課題を解決するための手段】
請求項１に記載した本発明に係るカメラは、上述した目的を達成するために、
被写体を撮影するための複数の動作モードを有するカメラにおいて、
設定および動作状態を表示する表示手段と、
前記表示手段を照明するための表示照明手段と、
前記複数の動作モードにおいて低輝度での操作を前提とする低輝度撮影モードが選択された時点から、前記表示照明手段を所定時間点灯させる第１の点灯制御手段と、
前記低輝度撮影モードが選択されている状態で、レリーズ操作に応じて消灯状態であった前記表示照明手段を点灯させ、シャッタ閉じ動作後に該表示照明手段を消灯させる第２の点灯制御手段と
を具備することを特徴としている。
また、請求項２に記載した本発明に係るカメラは、上述した目的を達成するために、
前記低輝度撮影モードは、夜景モード、バルブモード、タイムモードおよびスローシンクロモードからなる群より選ばれる少なくとも１つであることを特徴としている。
【０００７】
請求項３に記載した本発明に係るカメラは、
前記レリーズ操作が、レリーズボタンの押し動作によって１段目のＲＬ１信号に引き続き２段目のＲＬ２信号を発生する操作であって、
前記第２の点灯制御手段は、前記２段目のＲＬ２信号に応じて消灯状態であった前記表示照明手段を点灯させて、シャッタ閉じ動作後に該表示照明手段を消灯させることを特徴としている。
請求項４に記載した本発明に係るカメラは、レリーズ操作から次のレリーズ操作までの間にわたってシャッタを開き続けるタイムモードが選択されたときは、前記第２の制御手段は前記第２段目のＲＬ２信号に応じて消灯状態であった前記表示照明手段を点灯させてシャッタ開き動作が開始され、前記１段目のＲＬ１信号または前記２段目のＲＬ２に応じてシャッタ閉じ動作の終了後に該表示照明手段を消灯させることを特徴としている。
請求項５に記載した本発明に係るカメラは、上述した目的を達成するために、
被写体を撮影するための複数の動作モードを有するカメラにおいて、
設定および動作状態を表示する表示手段と、
前記表示手段を照明するための表示照明手段と、
前記複数の動作モードにおいて低輝度での操作を前提とする低輝度撮影モードが選択されると、消灯状態であった前記表示照明手段を点灯させ、レリーズ操作に応じてシャッタ開き動作を実施して、シャッタ閉じ動作後に該表示照明手段を消灯させる制御手段と
を具備することを特徴としている。
【０００８】
【作用】
本発明によるカメラは、複数の操作手段を有するカメラにおいて、表示手段を照明するための表示照明手段を、前記複数の操作手段のうちの低輝度モードでの動作中において前記低輝度モードの動作開始前に消灯状態であった前記表示照明手段を点灯させる。
このような構成により、特に、低輝度での使用が前提となる撮影モードでの動作中に、表示が見にくくなることを、効果的に防止することができる。
本発明によるカメラは、前記制御手段が、前記低輝度での使用を前提とする所定の操作手段の操作に基づく動作モードの選択時に前記表示照明手段の点灯を開始させる。
このような構成により、特に、低輝度での使用が前提となる撮影モードが選択された場合には、表示が見にくくなることを、確実に防止することができる。
【０００９】
【発明の実施の形態】
以下、実施の形態に基づき、図面を参照して本発明のカメラを詳細に説明する。
図１は、本発明の第１の実施の形態に係るカメラの要部の構成を示している。図１に示すカメラは、カメラ制御部１１、システム電源１２、メインスイッチ１３、フィルム駆動系１４、レンズ駆動系１５、露光制御系１６、シャッタ駆動系１７、ストロボ装置１８、表示装置１９、レリーズスイッチ２０、モード設定スイッチ２１、ＭＲ（マニュアルリワインド）スイッチ２２、裏蓋スイッチ２３、ストロボスイッチ２４、セルフモードスイッチ２５、露出補正スイッチ２６および絞りスイッチ２７を具備している。
カメラ制御部１１は、カメラ制御手段を構成し、カメラ全体の動作を制御する。
システム電源１２は、カメラ全体を作動させるための電力を発生する電池を用いた電源である。このシステム電源１２は、カメラ制御部１１には電力ＤＣＤＣを供給する。メインスイッチ１３は、システム電源１２による電力供給をオン／オフ操作するためのスイッチであり、カメラ制御部１１にスイッチ信号ＭＡＩＮを供給して、カメラ制御部１１の動作を含むカメラ全体の動作をオン／オフさせる。
【００１０】
フィルム駆動系１４は、１コマ撮影する毎にフィルムを１コマずつ巻き上げて給送し、装填されたフィルムの全コマの撮影が終了した時点またはＭＲスイッチ２２で、手動指示による巻き戻し（リワインド）が要求された時点で、フィルムを巻き戻す。このフィルム駆動系１４は、ＭＲスイッチ２２で、手動巻き戻しが要求された時点で、単にフィルムの手動による巻き戻しを許容するように制御し、手動のハンドル操作によるフィルムの巻き戻しを可能とするように構成してもよい。
レンズ駆動系１５は、オートフォーカス等の測距系を含み、例えばレリーズスイッチ２０の１段目の操作に応動して、測距を行いさらにその測距結果に応じて撮影レンズ系を駆動して、レンズ繰り出し量を制御する。
【００１１】
露光制御系１６は、測光部、絞り制御系およびストロボ制御系等を含み、例えばレリーズスイッチ２０の１段目の操作に応動して、測距に先立って測光を行い、さらにその測光結果に応じて適正露出を得るべくシャッタ開時間、絞り値およびストロボ発光等を設定制御する。
シャッタ駆動系１７は、シャッタを制御し、露光制御系１６の制御に基づくシャッタ開時間でシャッタを開閉する。
ストロボ装置１８は、露光制御系１６により連係制御されてストロボを発光する。
【００１２】
表示装置１９は、例えば液晶表示装置等の非発光の表示手段である表示部を有する表示装置であり、例えばＥＬ（エレクトロルミネセンス）素子またはＬＥＤ（発光ダイオード）を用いて表示部を照明する照明手段である照明部を備えている。この表示装置１９は、カメラ制御部１１により制御されて、表示信号ＬＣＤによりカメラの設定および動作状態を表示部に表示するとともに、照明信号ＥＬＬに応答して、該表示部を照明部により照明する。
レリーズスイッチ２０は、レリーズスイッチ手段を構成し、レリーズボタン（図示せず）の操作によって動作するスイッチであり、直接的な直接レリーズ信号をカメラ制御部１１に与える。このレリーズスイッチ２０からカメラ制御部１１に供給される直接レリーズ信号には、レリーズボタンの１段目の操作すなわち半押し（レリーズボタンを半分押し込んだ状態）で発生する１段目のレリーズ信号ＲＬ１およびレリーズボタンの２段目の操作すなわち全押し（レリーズボタンを完全に押し込んだ状態）で発生する２段目のレリーズ信号ＲＬ２がある。
【００１３】
モード設定スイッチ２１は、スイッチ操作によってカメラ制御部１１にモード信号ＭＯＤＥを与えてカメラの動作モードを設定する。
ＭＲスイッチ２２は、マニュアルリワインド、すなわち手動操作による巻き戻しを要求するためのマニュアルリワインド信号ＭＲをカメラ制御部１１に与えるためのスイッチである。このＭＲスイッチ２２によるマニュアルリワインド信号ＭＲは、既に述べたように、単に手動のハンドル操作によるフィルムの巻き戻しを許容させることを要求する信号としてもよい。
裏蓋スイッチ２３は、カメラの裏蓋の開操作および閉操作にそれぞれ応答して、裏蓋開信号ＯＰＮ／裏蓋閉信号ＣＬＳをカメラ制御部１１に供給する。これら裏蓋開信号ＯＰＮ／裏蓋閉信号ＣＬＳは、例えばオン／オフ動作する単一の信号であるとする。
【００１４】
ストロボスイッチ２４は、ストロボ装置１８の動作／不動作を設定するスイッチであり、その動作状態に応じたストロボ設定信号ＳＴをカメラ制御部１１に供給する。このストロボ設定信号ＳＴにより、ストロボ発光（強制発光）、ストロボ自動発光（自動露出撮影に連動して必要に応じて発光）およびストロボ非発光のいずれかが選択設定される。
セルフモードスイッチ２５は、セルフタイマー撮影を行うためのセルフモードを設定するスイッチであり、設定時にはセルフ設定信号ＳＥＬＦをカメラ制御部１１に供給する。露出補正スイッチ２６は、自動露出動作の露出補正量を設定するためのスイッチであり、操作の都度、露出補正信号ＥＶＳをカメラ制御部１１に供給する。カメラ制御部１１は、露出補正信号ＥＶＳに応動して、露出補正量を所定の順序に従って逐次変更する。
【００１５】
絞りスイッチ２７は、絞り値を示す絞り設定信号ＡＶＰをカメラ制御部１１に供給する。カメラ制御部１１は絞りスイッチ２７の設定値に応じて、露光制御系１６を制御し撮影時の絞り値を設定する。
すなわち、カメラ制御部１１は、メインスイッチ１３によってオン／オフ制御されて、モード設定スイッチ２１で設定されたモードにて、システム電源１２から供給される電力を用いて、動作する。カメラ制御部１１は、レリーズスイッチ２０の操作に基づいて、レンズ駆動系１５、露光制御系１６、シャッタ駆動系１７およびストロボ装置１８を制御して、１コマずつ撮影を行い、１コマ撮影後はフィルム駆動系１４を制御して１コマ分フィルムを巻き上げ給送する。また、カメラ制御部１１は、装填されたフィルムの全コマの撮影が終了すると、フィルム駆動系１４を制御して自動的にフィルムを巻き戻す。
【００１６】
また、カメラ制御部１１は、モード設定スイッチ２１の操作により、例えば自動撮影モード、ストロボ撮影モードおよびセルフモード、並びに夜景モード、スローシンクロモード、タイムモードおよびバルブモード等の長時間露出撮影モードのような種々の撮影モードを逐次選択設定する。
カメラ制御手段としてのカメラ制御部１１は、上述したように撮影およびフィルム給送等のカメラにおける全てのシーケンスを制御する部分であり、典型的には、制御用マイクロコンピュータ等のＩＣ（集積回路）で構成する。このカメラ制御部１１を構成するＩＣとしては、制御用マイクロコンピュータの他に、制御用のゲートアレイ等のようなカスタムＩＣを用いることができる。
表示装置１９は、表示照明手段である、例えばＥＬ素子等の照明素子を駆動する照明駆動部を含み、カメラ制御部１１の照明信号ＥＬＬのオン／オフに応動して表示照明をオン／オフさせる。
【００１７】
レリーズスイッチ２０を操作することにより、カメラは、測光および測距を行い、レンズを繰り出して、シャッタを開閉して撮影を行い、さらにフィルム給送を行う。上述したように、レリーズスイッチ２０は、２段階で動作するスイッチであり、１段目すなわちレリーズボタンを半分ほど押し込んだ半押し状態のレリーズ信号ＲＬ１で測光、測距、およびレンズ繰り出しまでを行わせ、２段目すなわちレリーズボタンを完全に押し込んだ全押し状態のレリーズ信号ＲＬ２でシャッタ開閉およびフィルム給送を行わせる。このレリーズスイッチ２０による機能分担は、所望によりあるいは状況に応じて変更してよい。また、レリーズスイッチ２０を、単一段のみのスイッチで構成して、その操作により全ての撮影シーケンスを実行させる構成としてもよい。
【００１８】
モード設定スイッチ２１は、タイム露出モード、バルブ撮影モード、その他の撮影モード設定に用いる。例えば、このモード設定スイッチ２１を適宜操作することにより、カメラ制御部１１がタイム露出モードに設定される。タイム露出モードにおいて、レリーズスイッチ２０が押操作（例えば２段目のレリーズ信号ＲＬ２）されるとタイム露出撮影動作がスタートし、カメラ制御部１１を介してシャッタ駆動系１７が制御されてシャッタが開く。この状態で再びレリーズスイッチ２０が押操作（例えば２段目のレリーズ信号ＲＬ２）されると、カメラ制御部１１は、シャッタ駆動系１７を介してシャッタが閉じ、フィルム駆動系１４を介してフィルムを巻き上げて撮影を終了する。
【００１９】
モード設定スイッチ２１は、タイム露出モードを、他の多くの撮影モードの中の１つとして選択可能な構成とする。また、タイム露出モードにおけるタイム露出撮影のスタートおよびストップもレリーズスイッチ２０の１段目のレリーズ信号ＲＬ１および２段目のレリーズ信号ＲＬ２のどちらで制御するように構成してもよい。
さらに、メインスイッチ１３、ＭＲスイッチ２２、裏蓋スイッチ２３、ストロボスイッチ２４、セルフモードスイッチ２５、露出補正スイッチ２６および絞りスイッチ２７は、上述したような各種の動作をカメラ制御部１１に指示設定するためのスイッチである。
【００２０】
次に、上述したように構成したカメラの表示照明の制御に係る動作の一例を図２に示すフローチャートを参照して説明する。
図２に示す処理は、フィルムカウンタやモード状態を確認する必要がある動作を要求するスイッチ等の操作部の操作時に、規定動作、すなわち該当する操作処理の間、表示装置１９の照明を点灯させるカメラ制御部１１の処理である。
定常時は、待機状態にあり（ステップＳ１）、該待機状態においては、該当するスイッチ等の操作部による操作受付の有無を監視する（ステップＳ２）。該当操作がなければ、待機状態での操作受付の監視を続け、該当操作が検出されると、カメラ制御部１１は表示装置１９に対する照明信号ＥＬＬをオンとして、照明を点灯させる（ステップＳ３）。この状態で、受け付けられた操作に該当する規定動作の処理を実行し（ステップＳ４）、この処理が終了すると、カメラ制御部１１は表示装置１９に対する照明信号ＥＬＬをオフとして、照明を消灯させ（ステップＳ５）、待機状態に戻る。
【００２１】
このようにして、予め設定した、操作中もしくは操作後にフィルムカウンタやモード状態を確認する必要がある動作を要求する場合は、該当操作部を操作した時点で、照明を点灯させ、該操作により要求された動作処理の終了後に照明を消灯する。
したがって、操作に基づく規定動作の処理中、照明が点灯しているので、操作中または操作後の状態を容易にしかも明確に確認することができる。なお、スイッチ等の操作部自体に操作状態を明示する機能を持っていたり、操作状態が明らかで、表示を確認する必要のないスイッチ等の操作部については、上述のような照明の点灯はしない。このようにすることにより、無駄な電力消費を抑えることができる。
このような制御は、例えば裏蓋スイッチ２３、レリーズスイッチ２０、メインスイッチ１３およびモード設定スイッチ２１等のスイッチ操作に対して適用する。
【００２２】
図３〜図６に、これら各スイッチ操作の場合のフローチャートを示す。
例えば、図３に示す処理は、裏蓋の開閉に連動する裏蓋スイッチ２３の操作時に、規定動作すなわちフィルムセット動作処理の間表示装置１９の照明を点灯させるカメラ制御部１１の処理である。
定常時は、待機状態にあり（ステップＳ１）、該待機状態においては、裏蓋スイッチ２３による裏蓋閉操作の検出の有無を監視する（ステップＳ２Ａ）。裏蓋閉操作がなければ、待機状態での裏蓋閉操作の監視を続け、裏蓋閉操作が検出されると、カメラ制御部１１は、表示装置１９に対する照明信号ＥＬＬをオンとして、照明を点灯させる（ステップＳ３）。この状態で、規定動作であるフィルムセット動作の処理を実行し（ステップＳ４Ａ）、この処理が終了すると、カメラ制御部１１は表示装置１９に対する照明信号ＥＬＬをオフとして、照明を消灯させ（ステップＳ５）、待機状態に戻る。
このようにして、予め設定した、裏蓋スイッチ２３を閉操作した時点で、照明を点灯させ、該操作に基づくフィルムセット動作処理の終了（フィルムのローディング完了）後に照明を消灯する。
【００２３】
図４に示す処理は、通常撮影におけるレリーズスイッチ２０の操作時に、規定動作すなわち撮影動作または撮影操作を途中でやめた場合の撮影動作処理の間表示装置１９の照明を点灯させるカメラ制御部１１の処理である。
定常時は、待機状態にあり（ステップＳ１）、該待機状態においては、レリーズスイッチ２０による１段目レリーズ信号ＲＬ１の有無を監視する（ステップＳ２Ｂ）。レリーズスイッチ２０の操作がなければ、待機状態でのレリーズスイッチ２０の監視を続け、１段目レリーズ信号ＲＬ１が検出されると、カメラ制御部１１は、表示装置１９に対する照明信号ＥＬＬをオンとして、照明を点灯させる（ステップＳ３）。
【００２４】
この状態で、規定動作、すなわち２段目レリーズ信号ＲＬ２が与えられて撮影動作の続行、または１段目レリーズ信号ＲＬ１がオフとされた場合の撮影操作の中止のいずれかの処理を実行し（ステップＳ４Ｂ）、この処理が終了すると、カメラ制御部１１は表示装置１９に対する照明信号ＥＬＬをオフとして、照明を消灯させ（ステップＳ５）、待機状態に戻る。
このようにして、予め設定した、レリーズスイッチ２０の１段目を操作した時点で、照明を点灯させ、該操作に基づく撮影動作または撮影中止動作処理の終了後に照明を消灯する。
【００２５】
図５に示す処理は、撮影準備におけるメインスイッチ１３の操作時に、規定動作すなわち本体内に、いわゆる沈胴式として収容されていた鏡胴を撮影準備のため所定の準備位置に突出させるなどの鏡胴準備動作処理の間表示装置１９の照明を点灯させるカメラ制御部１１の処理である。
定常時は、待機状態にあり（ステップＳ１）、該待機状態においては、メインスイッチ１３の操作の有無を監視する（ステップＳ２Ｃ）。メインスイッチ１３の操作がなければ、待機状態でのメインスイッチ１３の監視を続け、メインスイッチ信号ＭＡＩＮが検出されると、カメラ制御部１１は、表示装置１９に対する照明信号ＥＬＬをオンとして、照明を点灯させる（ステップＳ３）。
この状態で、規定動作、すなわち撮影準備のための鏡胴準備動作処理を実行し（ステップＳ４Ｃ）、この処理が終了すると、カメラ制御部１１は、表示装置１９に対する照明信号ＥＬＬをオフとして、照明を消灯させ（ステップＳ５）、待機状態に戻る。
このようにして、予め設定した、メインスイッチ１３を操作した時点で、照明を点灯させ、該操作に基づく鏡胴準備動作処理の終了後に照明を消灯する。
【００２６】
図６に示す処理は、モード設定スイッチ２１の操作時に、規定動作、すなわちモード切換動作の処理の間表示装置１９の照明を点灯させるカメラ制御部１１の処理である。
定常時は、待機状態にあり（ステップＳ１）、該待機状態においては、モード設定スイッチ２１の操作によるモード信号ＭＯＤＥの有無を監視する（ステップＳ２Ｄ）。モード設定スイッチ２１の操作がなければ、待機状態でのモード設定スイッチ２１の監視を続け、モード信号ＭＯＤＥが検出されると、カメラ制御部１１は、表示装置１９に対する照明信号ＥＬＬをオンとして、照明を点灯させる（ステップＳ３）。
【００２７】
この状態で、規定動作、すなわちモード切換動作処理を実行し（ステップＳ４Ｄ）、この処理が終了すると、カメラ制御部１１は、表示装置１９に対する照明信号ＥＬＬをオフとして、照明を消灯させ（ステップＳ５）、待機状態に戻る。このようにして、予め設定した、モード設定スイッチ２１を操作した時点で、照明を点灯させ、該操作に基づくモード切換備動作処理の終了後に照明を消灯する。
なお、上述と同様の照明制御を行うことが望ましいスイッチには、上記各スイッチの他には、ＭＲスイッチ２２およびセルフモードスイッチ２５等がある。
図７に示す処理は、フィルムカウンタやモード状態を確認する必要がある動作を要求するスイッチ等の操作部の操作に基づく、規定動作、すなわち該当する操作処理の終了後、所定時間だけ表示装置１９の照明を点灯させるカメラ制御部１１の処理である。
【００２８】
定常時は、待機状態にあり（ステップＳ１１）、該待機状態においては、該当するスイッチ等の操作部による操作受付の有無を監視する（ステップＳ１２）。該当操作がなければ、待機状態での操作受付の監視を続け、該当操作が検出されると、カメラ制御部１１は、受け付けられた操作に該当する規定動作の処理を実行する（ステップＳ１３）。
この処理が終了すると、カメラ制御部１１は、表示装置１９に対する照明信号ＥＬＬをオンとして、照明を点灯させる（ステップＳ１４）。このままの状態で、予め設定された所定時間、例えば５秒間待ち（ステップＳ１５）、５秒間が経過すると、カメラ制御部１１は、表示装置１９に対する照明信号ＥＬＬをオフとして、照明を消灯させ（ステップＳ１６）、待機状態に戻る。
【００２９】
このようにして、動作の終了後にフィルムカウンタやモード状態を確認する必要がある動作を要求する場合は、該当操作により要求された動作処理の終了後に、照明を点灯させ、予め設定された所定時間の後に照明を消灯する。
したがって、操作に基づく規定動作の処理後に、照明が点灯するので、操作後の状態を容易に、しかも明確に確認することができる。なお、スイッチ等の操作部自体に操作状態を明示する機能を持っていたり、操作状態が明らかで、表示を確認する必要のないスイッチ等の操作部については、上述のような照明の点灯はしない。このようにすることにより、無駄な電力消費を抑えることができる。
【００３０】
このような制御は、第１の実施の形態の場合と同様に、例えば裏蓋スイッチ２３、レリーズスイッチ２０、メインスイッチ１３、モード設定スイッチ２１、ＭＲスイッチおよびセルフモードスイッチ等のスイッチ操作に対して適用することができる。
例えば、図８に裏蓋開閉操作による裏蓋スイッチ操作の場合の具体的なフローチャートを示す。
【００３１】
図８に示す処理は、裏蓋の開閉に連動する裏蓋スイッチ２３の操作時に基づく規定動作、すなわちフィルムセット動作処理の終了後の所定時間、表示装置１９の照明を点灯させるカメラ制御部１１の処理である。
定常時は、待機状態にあり（ステップＳ１１）、該待機状態においては、裏蓋スイッチ２３による裏蓋閉操作の検出の有無を監視する（ステップＳ１２Ａ）。裏蓋閉操作がなければ、待機状態での裏蓋閉操作の監視を続け、裏蓋閉操作が検出されると、カメラ制御部１１は、規定動作であるフィルムセット動作の処理を実行する（ステップＳ１３Ａ）。このフィルムセット動作の終了時に、カメラ制御部１１は表示装置１９に対する照明信号ＥＬＬをオンとして、照明を点灯させる（ステップＳ１４）。この状態で、予め設定した所定時間、例えば５秒間待ち（ステップＳ１５）、５秒間経過すると、カメラ制御部１１は表示装置１９に対する照明信号ＥＬＬをオフとして、照明を消灯させ（ステップＳ１６）、待機状態に戻る。
このようにして、予め設定した、裏蓋スイッチ２３の操作に基づくフィルムセット動作処理の終了後に照明を点灯し、所定時間後に、照明を消灯させる。
【００３２】
図９に示す処理は、フィルムカウンタやモード状態を確認する必要がある動作を要求するスイッチ等の操作部の操作に基づく、規定動作、すなわち該当する操作処理の期間およびその終了後の所定時間について表示装置１９の照明を点灯させるカメラ制御部１１の処理である。
定常時は、待機状態にあり（ステップＳ２１）、該待機状態においては、該当するスイッチ等の操作部による操作受付の有無を監視する（ステップＳ２２）。該当操作がなければ、待機状態での操作受付の監視を続け、該当操作が検出されると、カメラ制御部１１は、表示装置１９に対する照明信号ＥＬＬをオンとして、照明を点灯させる（ステップＳ２３）。この状態で、カメラ制御部１１は、受け付けられた操作に該当する規定動作の処理を実行する（ステップＳ２４）。
この処理が終了すると、予め設定された所定時間、例えば５秒間待ち（ステップＳ２５）、５秒間が経過すると、カメラ制御部１１は、表示装置１９に対する照明信号ＥＬＬをオフとして、照明を消灯させ（ステップＳ２６）、待機状態に戻る。
【００３３】
このようにして、予め設定した動作時およびその終了後にフィルムカウンタやモード状態を確認する必要がある動作を要求する場合は、該当操作により要求がされた時点で照明を点灯させ、該当動作処理の終了後の予め設定された所定時間の後に照明を消灯する。したがって、操作に基づく規定動作中およびその処理後に、照明が点灯するので、操作後の状態を容易にしかも明確に確認することができる。
なお、スイッチ等の操作部自体に操作状態を明示する機能を持っていたり、操作状態が明らかで、表示を確認する必要のないスイッチ等の操作部については、上述のような照明の点灯はしない。このようにすることにより、無駄な電力消費を抑えることができる。
【００３４】
このような制御は、第１および第２の実施の形態の場合と同様に、例えば裏蓋スイッチ２３、レリーズスイッチ２０、メインスイッチ１３、モード設定スイッチ２１、ＭＲスイッチ２２およびセルフモードスイッチ２５等のスイッチ操作に対して適用することができる。
例えば、図１０に裏蓋開閉操作による裏蓋スイッチ操作の場合の具体的なフローチャートを示す。
【００３５】
図１０に示す処理は、裏蓋の開閉に連動する裏蓋スイッチ２３の操作時に基づく規定動作、すなわちフィルムセット動作の処理中および処理終了後の所定時間表示装置１９の照明を点灯させるカメラ制御部１１の処理である。
定常時は、待機状態にあり（ステップＳ２１）、該待機状態においては、裏蓋スイッチ２３による裏蓋閉操作の検出の有無を監視する（ステップＳ２２Ａ）。裏蓋閉操作がなければ、待機状態での裏蓋閉操作の監視を続け、裏蓋閉操作が検出されると、カメラ制御部１１は、表示装置１９に対する照明信号ＥＬＬをオンとして、照明を点灯させる（ステップＳ２３）。そして、カメラ制御部１１は、規定動作であるフィルムセット動作の処理を実行する（ステップＳ２４Ａ）。このフィルムセット動作の終了時に、そのままの状態で、予め設定した所定時間、例えば５秒間待ち（ステップＳ２５）、５秒間経過すると、カメラ制御部１１は表示装置１９に対する照明信号ＥＬＬをオフとして、照明を消灯させ（ステップＳ２６）、待機状態に戻る。
【００３６】
このようにして、予め設定した、裏蓋スイッチ２３の操作に基づくフィルムセット動作の処理開始時に照明を点灯し、所定時間後に、照明を消灯させる。
なお、スイッチ等の操作部自体に操作状態を明示する機能を持っていたり、操作状態が明らかで、表示を確認する必要のないスイッチ等の操作部には、例えばストロボスイッチ２４および絞りスイッチ２７等があり、これらの操作に対するカメラ制御部１１の処理は、次のようになる。
【００３７】
ストロボスイッチ２４の場合、操作部近傍には、図１１に示すように、ストロボ発光マーク２４ａ、オートストロボマーク２４ｂおよびストロボ非発光マーク２４ｃが表示されている。操作部であるスライド操作つまみ２４ｄをこれら各表示のいずれかに対応させるべくスライド操作することにより、該当するストロボ動作モードを設定する。したがって、設定時の操作状態から設定モードの状態は明らかである。
この場合のカメラ制御部１１の制御は、図１２に示すように、定常時は、待機状態にあり（ステップＳ３１）、該待機状態においては、ストロボスイッチ２４の操作を監視する（ステップＳ３２）。ストロボスイッチ２４の操作がなければ、待機状態でのストロボスイッチ２４の監視を続け、ストロボスイッチ２４の操作が検出されると、ストロボモードを切換えて（ステップＳ３３）、待機状態に戻る。
【００３８】
絞りスイッチ２７の場合、図１３に示すように、回動操作されるダイヤル操作部２７ａの近傍には、指標２７ｂが表示されている。操作部であるダイヤル操作部２７ａに表示された絞り値を前記指標２７ｂ位置に対応させるべく回動操作することにより、該当する絞り値を設定する。したがって、設定時の操作状態から設定絞り状態は明らかである。
この場合のカメラ制御部１１の制御は、図１４に示すように、定常時は、待機状態にあり（ステップＳ３５）、該待機状態においては、絞りスイッチ２７の操作を監視する（ステップＳ３６）。絞りスイッチ２７の操作がなければ、待機状態での絞りスイッチ２７の監視を続け、絞りスイッチ２７の操作が検出されると、絞り値を切換えて（ステップＳ３７）、待機状態に戻る。
【００３９】
ところで、カメラにおける動作モードには、低輝度での操作を前提にした、長時間露出モード、すなわち夜景モード、バルブモード、タイムモードおよびスローシンクロモード等がある。これらのような、動作モードの場合には、低輝度撮影であるので当然カメラ周囲の光量も少なく表示装置１９の表示を見るためには照明が必要なことが多いと推定される。そこで、このような場合に、照明を点灯させるようにするのが、本発明の第２の実施の形態である。
【００４０】
本発明の第２の実施の形態は、本発明の請求項１に対応するものである。本発明の第２の実施の形態に係るカメラの構成は、第１の実施の形態と同様に図１に示す通りである。この場合、カメラ制御部１１の撮影操作に対する処理を図１５および図１６に示すようにして行う。
【００４１】
図１５に示す処理は、モード設定スイッチ２１によるモード切換時のカメラ制御部１１の処理である。
定常時は、待機状態にあり（ステップＳ６１）、該待機状態においては、モード設定スイッチ２１によるモード信号ＭＯＤＥを監視する（ステップＳ６２）。この場合、理解を容易にするためモード信号ＭＯＤＥにより、ノーマルモードと低輝度操作を前提にした長時間露出モードであるタイムモードとが交互に切換えられるものとする。モード信号ＭＯＤＥがなければ、待機状態でのモード信号ＭＯＤＥの監視を続け、モード信号ＭＯＤＥが検出されると、カメラ制御部１１は、設定モードを従前の状態から他の状態にモード変更を行い、従前状態がノーマルモードであればタイムモードに、従前の状態がタイムモードであればノーマルモードにそれぞれ設定し（ステップＳ６３）、ステップＳ６１の待機状態に戻る。
【００４２】
このようにして、低輝度操作を前提にしたモード、例えばタイムモードに設定された場合のタイム露出撮影におけるカメラ制御部１１の処理を図１６に示す。定常時は、待機状態にあり（ステップＳ６５）、該待機状態においては、レリーズスイッチ２０の１段目レリーズ信号ＲＬ１の有無を監視する（ステップＳ６６）。レリーズスイッチ２０の１段目レリーズ信号ＲＬ１がなければ、待機状態での操作受付の監視を続け、該１段目レリーズ信号ＲＬ１が検出されると、カメラ制御部１１は、測光および測距等の撮影準備の動作を実行する（ステップＳ６７）。
【００４３】
この状態で、次のレリーズスイッチ２０からの信号を調べ、２段目レリーズ信号ＲＬ２がオンか、１段目レリーズ信号ＲＬ１がオフかを判定する（ステップＳ６８）。１段目レリーズ信号ＲＬ１がオフとなった場合には、ステップＳ６５の待機状態に戻る。
ステップＳ６８で、２段目レリーズ信号ＲＬ２がオンと判定された場合、カメラ制御部１１は、レンズ駆動系１５を制御してレンズの繰り出しを実行する（ステップＳ６９）。
【００４４】
カメラ制御部１１は、レンズを繰り出した後、表示装置１９に対する照明信号ＥＬＬをオンとして、照明を点灯させて（ステップＳ７０）、シャッタ駆動系１７を介してシャッタを開く（ステップＳ７１）。
この状態で、カメラ制御部１１は、次のレリーズスイッチ２０からの信号を調べ、１段目レリーズ信号ＲＬ１または２段目レリーズ信号ＲＬ２の再度のオン動作を待つ（ステップＳ７２）。
１段目レリーズ信号ＲＬ１または２段目レリーズ信号ＲＬ２が再度オンとなるとカメラ制御部１１は、シャッタ駆動系１７を介してシャッタを閉じ（ステップＳ７３）、表示装置１９に対する照明信号ＥＬＬをオフとして、照明を消灯した後（ステップＳ７４）レンズ駆動系１５を介してのレンズ戻し制御を行う（ステップＳ７５）。
【００４５】
巻き戻し後、フィルム駆動系１４を介してフィルムを巻き上げ且つストロボ装置１８に対するストロボ充電を行って（ステップＳ７６）、ステップＳ６５の待機状態に戻る。
このようにして、低輝度を前提とした操作モード時には、照明を点灯して、表示を見易くすることができる。
低輝度での操作を前提にした場合に上述した第２の実施の形態とは、異なるタイミングで照明を点灯させるようにするのが本発明の第３の実施の形態である。
【００４６】
本発明の第３の実施の形態に係るカメラの構成は、第１の実施の形態と同様に図１に示す通りである。この場合、カメラ制御部１１の撮影操作に対する処理を図１５および図１７に示すようにして行う。
図１５に示すようなモード設定スイッチ２１の操作によって、低輝度操作を前提にしたモード、例えばタイムモードに設定された場合のタイム露出撮影におけるカメラ制御部１１の処理を図１７に示す。
【００４７】
定常時は、待機状態にあり（ステップＳ６５）、該待機状態においては、レリーズスイッチ２０の１段目レリーズ信号ＲＬ１の有無を監視する（ステップＳ６６）。レリーズスイッチ２０の１段目レリーズ信号ＲＬ１がなければ、待機状態での操作受付の監視を続け、該１段目レリーズ信号ＲＬ１が検出されると、カメラ制御部１１は、表示装置１９に対する照明信号ＥＬＬをオンとして、照明を点灯させて（ステップＳ６７Ａ）、測光および測距等の撮影準備の動作を実行する（ステップＳ６８Ａ）。
この状態で、次のレリーズスイッチ２０からの信号を調べ、２段目レリーズ信号ＲＬ２がオンか、１段目レリーズ信号ＲＬ１がオフかを判定する（ステップＳ６９Ａ）。１段目レリーズ信号ＲＬ１がオフとなった場合には、ステップＳ６５の待機状態に戻る。
【００４８】
ステップＳ６９Ａで、２段目レリーズ信号ＲＬ２がオンと判定された場合、カメラ制御部１１は、レンズ駆動系１５を制御してレンズの繰り出しを実行する（ステップＳ７０Ａ）。
カメラ制御部１１は、レンズを繰り出した後、シャッタ駆動系１７を介してシャッタを開く（ステップＳ７１）。
この状態で、カメラ制御部１１は、次のレリーズスイッチ２０からの信号を調べ、１段目レリーズ信号ＲＬ１または２段目レリーズ信号ＲＬ２の再度のオン動作を待つ（ステップＳ７２）。
【００４９】
１段目レリーズ信号ＲＬ１または２段目レリーズ信号ＲＬ２が再度オンとなると、カメラ制御部１１は、シャッタ駆動系１７を介してシャッタを閉じ（ステップＳ７３）、表示装置１９に対する照明信号ＥＬＬをオフとして、照明を消灯した後（ステップＳ７４）レンズ駆動系１５を介してのレンズ戻し制御を行う（ステップＳ７５）。巻き戻し後、フィルム駆動系１４を介してフィルムを巻き上げ且つストロボ装置１８に対するストロボ充電を行って（ステップＳ７６）、ステップＳ６５の待機状態に戻る。
このようにしても、低輝度を前提とした操作モード時に、照明を点灯して、表示を見易くすることができる。
低輝度での操作を前提にした場合に上述した第３の実施の形態とは、さらに異なるタイミングで照明を点灯させるようにするのが本発明の第４の実施の形態である。
【００５０】
本発明の第４の実施の形態に係るカメラの構成は、第１の実施の形態と同様に図１に示す通りである。この場合、カメラ制御部１１の撮影操作に対する処理を図１８および図１９に示すようにして行う。
図１８に示す処理は、モード設定スイッチ２１によるモード切換時のカメラ制御部１１の処理である。
【００５１】
定常時は、待機状態にあり（ステップＳ６１）、該待機状態においては、モード設定スイッチ２１によるモード信号ＭＯＤＥを監視する（ステップＳ６２）。この場合、理解を容易にするためモード信号ＭＯＤＥにより、ノーマルモードと低輝度操作を前提にした長時間露出モードであるタイムモードとが交互に切換えられるものとする。モード信号ＭＯＤＥがなければ、待機状態でのモード信号ＭＯＤＥの監視を続け、モード信号ＭＯＤＥが検出されると、カメラ制御部１１は、設定モードを従前の状態から他の状態にモード変更を行い、従前状態がノーマルモードであればタイムモードに、従前の状態がタイムモードであればノーマルモードにそれぞれ設定し（ステップＳ６３）、表示装置１９に対する照明信号ＥＬＬをオンとして、照明を点灯させて（ステップＳ６４）、ステップＳ６１の待機状態に戻る。
【００５２】
このようにして、低輝度操作を前提にしたモード、例えばタイムモードに設定された場合のタイム露出撮影におけるカメラ制御部１１の処理を図１９に示す。定常時は、待機状態にあり（ステップＳ６５）、該待機状態においては、レリーズスイッチ２０の１段目レリーズ信号ＲＬ１の有無を監視する（ステップＳ６６）。レリーズスイッチ２０の１段目レリーズ信号ＲＬ１がなければ、待機状態での操作受付の監視を続け、該１段目レリーズ信号ＲＬ１が検出されると、カメラ制御部１１は、測光および測距等の撮影準備の動作を実行する（ステップＳ６７）。
【００５３】
この状態で、次のレリーズスイッチ２０からの信号を調べ、２段目レリーズ信号ＲＬ２がオンか、１段目レリーズ信号ＲＬ１がオフかを判定する（ステップＳ６８）。１段目レリーズ信号ＲＬ１がオフとなった場合には、ステップＳ６５の待機状態に戻る。
ステップＳ６８で、２段目レリーズ信号ＲＬ２がオンと判定された場合、カメラ制御部１１は、レンズ駆動系１５を制御してレンズの繰り出しを実行する（ステップＳ６９Ｂ）。カメラ制御部１１は、レンズを繰り出した後、シャッタ駆動系１７を介してシャッタを開く（ステップＳ７１Ａ）。
この状態で、カメラ制御部１１は、次のレリーズスイッチ２０からの信号を調べ、１段目レリーズ信号ＲＬ１または２段目レリーズ信号ＲＬ２の再度のオン動作を待つ（ステップＳ７２）。
【００５４】
１段目レリーズ信号ＲＬ１または２段目レリーズ信号ＲＬ２が再度オンとなるとカメラ制御部１１は、シャッタ駆動系１７を介してシャッタを閉じ（ステップＳ７３）、表示装置１９に対する照明信号ＥＬＬをオフとして、照明を消灯した後（ステップＳ７４）レンズ駆動系１５を介してのレンズ戻し制御を行う（ステップＳ７５）。巻き戻し後、フィルム駆動系１４を介してフィルムを巻き上げ且つストロボ装置１８に対するストロボ充電を行って（ステップＳ７６）、ステップＳ６５の待機状態に戻る。
このようにしても、低輝度を前提とした操作モード時に、照明を点灯して、表示を見易くすることができる。
なお、本発明は、上述した各実施の形態の構成を適宜組み合わせるなど、種々に変形して実施することができることは勿論である。
【００５５】
【発明の効果】
本発明の請求項１のカメラによれば、被写体を撮影するための複数の動作モードを有するカメラにおいて、
設定および動作状態を表示する表示手段と、
前記表示手段を照明するための表示照明手段と、
前記複数の動作モードにおいて低輝度での操作を前提とする低輝度撮影モードが選択された時点から、前記表示照明手段を所定時間点灯させる第１の点灯制御手段と、
前記低輝度撮影モードが選択されている状態で、レリーズ操作に応じて消灯状態であった前記表示照明手段を点灯させ、シャッタ閉じ動作後に該表示照明手段を消灯させる第２の点灯制御手段とを具備する構成としたので、
レリーズ操作をする以前に低輝度撮影モードの操作時に照明を点灯してモードの設定や設定変更の確認を容易且つ確実に行うことができ、さらに操作に基づく規定動作の処理後に操作後の状態を容易にしかも明確に確認することができると共に、
第１および第２の制御手段によって、表示照明手段の点灯を、必要最小限に抑えることができ、電池電源の無駄な消費をできる限り、抑制することができる。
【００５６】
本発明の請求項５のカメラによれば、被写体を撮影するための複数の動作モードを有するカメラにおいて、
設定および動作状態を表示する表示手段と、
前記表示手段を照明するための表示照明手段と、
前記複数の動作モードにおいて低輝度での操作を前提とする低輝度撮影モードが選択されると、消灯状態であった前記表示照明手段を点灯させ、レリーズ操作に応じてシャッタ開き動作を実施して、シャッタ閉じ動作後に該表示照明手段を消灯させる制御手段と
を具備するので、低輝度での使用が前提となる撮影モードへの設定が、表示照明手段の点灯により、見易い表示で、容易に視認でき、また、低輝度モード撮影時の動作を容易に確認できると共に、表示照明手段による点灯表示をシャッタ閉じ動作後、直ちに消灯することで電池電源の消費をできる限り抑制することができる。
【図面の簡単な説明】
【図１】本発明の第１の実施の形態に係るカメラの要部の機能構成を模式的に示すブロック図である。
【図２】図１のカメラの操作時点灯処理を示すフローチャートである。
【図３】図１のカメラの操作時点灯処理の一例である裏蓋動作処理を示すフローチャートである。
【図４】図１のカメラの操作時点灯処理の他の一例である通常撮影処理を示すフローチャートである。
【図５】図１のカメラの操作時点灯処理のその他の一例であるメインスイッチ処理を示すフローチャートである。
【図６】図１のカメラの操作時点灯処理のさらにその他の一例であるモード設定スイッチ処理を示すフローチャートである。
【図７】本発明の第１の実施の形態に関連するカメラの操作後点灯処理を示すフローチャートである。
【図８】図１のカメラの操作後点灯処理の一例である裏蓋動作処理を示すフローチャートである。
【図９】本発明の第１の実施の形態に関連するカメラの操作以後点灯処理を示すフローチャートである。
【図１０】図９のカメラの操作以後点灯処理の一例である裏蓋動作処理を示すフローチャートである。
【図１１】図１のカメラのストロボスイッチの操作部の外観を示す模式図である。
【図１２】表示照明を使用しない処理の一例であるストロボスイッチ処理を示すフローチャートである。
【図１３】カメラの絞りスイッチの操作部の外観を示す模式図である。
【図１４】表示照明を使用しない処理の他の一例である絞りスイッチ処理を示すフローチャートである。
【図１５】本発明の第２の実施の形態に係るカメラのモード切換処理を示すフローチャートである。
【図１６】図１５のカメラのタイム露出モード撮影動作処理を示すフローチャートである。
【図１７】本発明の第３の実施の形態に係るカメラのタイム露出撮影動作処理を示すフローチャートである。
【図１８】本発明の第４の実施の形態に係るカメラのモード切換処理を示すフローチャートである。
【図１９】図１８のカメラのタイム露出モード撮影動作処理を示すフローチャートである。
【符号の説明】
１１  カメラ制御部
１２  システム電源
１３  メインスイッチ
１４  フィルム駆動系
１５  レンズ駆動系（測距系を含む）
１６  露光制御系（測光系を含む）
１７  シャッタ駆動系
１８  ストロボ装置
１９  表示装置（表示照明手段を含む）
２０  レリーズスイッチ
２１  モード設定スイッチ
２２  ＭＲ（マニュアルリワインド）スイッチ
２３  裏蓋スイッチ
２４  ストロボスイッチ
２５  セルフモードスイッチ
２６  露出補正スイッチ
２７  絞りスイッチ
【図１】
0003850820.tif 000002
【図２】
0003850820.tif 000003
【図３】
0003850820.tif 000004
【図４】
0003850820.tif 000005
【図５】
0003850820.tif 000006
【図６】
0003850820.tif 000007
【図７】
0003850820.tif 000008
【図８】
0003850820.tif 000009
【図９】
0003850820.tif 000010
【図１０】
0003850820.tif 000011
【図１１】
0003850820.tif 000012
【図１２】
0003850820.tif 000013
【図１３】
0003850820.tif 000014
【図１４】
0003850820.tif 000015
【図１５】
0003850820.tif 000016
【図１６】
0003850820.tif 000017
【図１７】
0003850820.tif 000018
【図１８】
0003850820.tif 000019
【図１９】
0003850820.tif 000020